(57)【要約】【課題】ペットの歯磨きの際に、ストレスを与えることなく、さらに、歯周病や口臭予防が効果的にできる動物用歯磨き具を提供する。【解決手段】本発明の動物用歯磨き具１は、歯磨き袋部１０と、歯磨き袋部１０に接続された引掛部２０と、を備え、歯磨き袋部１０には、カルシウム１５〜２０（ｍｇ/Ｌ)、マグネシウム２．５〜３．０（ｍｇ/Ｌ)、カリウム２．９〜４．６（ｍｇ/Ｌ）、鉄＜０．１(ｍｇ/Ｌ)、ナトリウム１４〜２１(ｍｇ/Ｌ)、ケイ素２．３〜６．７(ｍｇ/Ｌ)、銅＜０.０２(ｍｇ/Ｌ)、亜鉛＜０．０１（ｍｇ/Ｌ)を主成分として含有してなるミネラル水がコーティングされている。【選択図】図１
2020178776.tif 000002
【特許請求の範囲】
【請求項１】
歯磨き袋部と、
前記歯磨き袋部に接続された引掛部と、を備え、
前記歯磨き袋部には、
カルシウム１５〜２０（ｍｇ／Ｌ）、
マグネシウム２．５〜３．０（ｍｇ／Ｌ）、
カリウム２．９〜４．６（ｍｇ／Ｌ）、
鉄＜０．１（ｍｇ／Ｌ）、
ナトリウム１４〜２１（ｍｇ／Ｌ）、
ケイ素２．３〜６．７（ｍｇ／Ｌ）、
銅＜０．０２（ｍｇ／Ｌ）、
亜鉛＜０．０１（ｍｇ／Ｌ）
を主成分として含有してなるミネラル水がコーティングされていること
を特徴とする動物用歯磨き具。
【発明の詳細な説明】
【技術分野】
【０００１】
本発明は、動物用歯磨き具に関し、特に、犬や猫などのペットの歯磨きに好適な動物用歯磨き具に関する。
【背景技術】
【０００２】
近年、人間と同様、犬や猫などのペットにも歯周病が多く、特に、３歳以上の犬の約８割は歯周病にかかっていると言われており、この歯周病を予防するには毎日の歯磨きが効果的である。しかしながら、例えば、犬の歯磨きをするためには、口を手で広げ磨く歯を露出させて行わなければならないことから、犬は歯磨きを嫌がり、暴れ、場合によっては噛みつかれることもあり得ることから、従来から歯磨きがし易い種々のペット用歯磨き具が開発され販売されている。
【０００３】
例えば、そのようなペット用の歯磨き具として、特許文献１に記載のペットの歯磨きのための手袋がある。これは、ペットにストレスを与えずにペットの歯を磨くことができるように全体の形状を手袋形とし、更に、本体部分と、少なくとも１本の指の先の全周に横向きに形成された複数の凸部２とを有し、凸部２の幅は１ｍｍ〜４ｍｍであり、かつ複数の凸部２の間隔は３ｍｍ〜６ｍｍであるように構成したことにより効率的に歯磨きができるとしている。
【先行技術文献】
【特許文献】
【０００４】
【特許文献１】特開２０１８−３１０７８号公報
【発明の概要】
【発明が解決しようとする課題】
【０００５】
確かに、歯磨きを手袋形にすれば、ペットの歯磨きをストレスを与えることなくすることはできるが、特に、歯周病予防に効果的というわけではなく、歯周病予防に効果的で、かつ、ペットにストレスを与えることなく歯磨きが可能な動物用歯磨き具が求められていた。
【０００６】
そこで、本発明はこのような問題を解決するためになされたものであり、その目的とするところは、犬や猫などのペットの歯磨きをストレスを与えることなくできるとともに、歯周病予防にも効果的な動物用歯磨き具を提供することにある。
【課題を解決するための手段】
【０００７】
前記の目的を達成するため、本発明の動物用歯磨き具は、歯磨き袋部と、前記歯磨き袋部に接続された引掛部と、を備え、前記歯磨き袋部には、カルシウム１５〜２０（ｍｇ／Ｌ）、マグネシウム２．５〜３．０（ｍｇ／Ｌ）、カリウム２．９〜４．６（ｍｇ／Ｌ）、鉄＜０．１（ｍｇ／Ｌ）、ナトリウム１４〜２１（ｍｇ／Ｌ）、ケイ素２．３〜６．７（ｍｇ／Ｌ）、銅＜０．０２（ｍｇ／Ｌ）、亜鉛＜０．０１（ｍｇ／Ｌ）を主成分として含有してなるミネラル水がコーティングされていることを特徴とする。
【発明の効果】
【０００８】
以上の構成から明らかなように、本発明の動物用歯磨き具によれば、歯磨き袋部と、前記歯磨き袋部に接続された引掛部と、を備え、前記歯磨き袋部には、カルシウム１５〜２０（ｍｇ／Ｌ）、マグネシウム２．５〜３．０（ｍｇ／Ｌ）、カリウム２．９〜４．６（ｍｇ／Ｌ）、鉄＜０．１（ｍｇ／Ｌ）、ナトリウム１４〜２１（ｍｇ／Ｌ）、ケイ素２．３〜６．７（ｍｇ／Ｌ）、銅＜０．０２（ｍｇ／Ｌ）、亜鉛＜０．０１（ｍｇ／Ｌ）を主成分として含有してなるミネラル水がコーティングされているように構成したことにより、犬や猫などのペットの歯磨きをストレスを与えることなくできるとともに、歯周病予防も効果的に図ることができるという効果がある。
【図面の簡単な説明】
【０００９】
【図１】本発明の動物用歯磨き具の平面図である。
【図２】本発明の動物用歯磨き具の第１の使用状態を示す図である。
【図３】本発明の動物用歯磨き具の第２の使用状態を示す図である。
【図４】本発明の動物用歯磨き具の第３の使用状態を示す図である。
【図５】口内ガス中の硫化水素（Ｈ２Ｓ）の測定結果を示す図である。
【図６】口内ガス中のメチルメルカプタン（ＣＨ３ＳＨ）の測定結果を示す図である。
【図７】口内ガス中の硫化ジメチル（（ＣＨ３）２Ｓ）の測定結果を示す図である。
【図８】口内ガス中のΣＶＳＣ（硫化水素＋メチルメルカプタン＋硫化ジメチル）の測定結果を示す図である。
【図９】口内細菌数の測定結果を示す図である。
【発明を実施するための形態】
【００１０】
以下、本発明を実施するための形態について、図面を参照しながら説明する。なお、以下の実施形態においては、歯磨きをする対象の動物として犬を挙げているがこれに限定されるものではない。
【００１１】
図１に示すように、本実施形態の動物用歯磨き具１は、歯磨き袋部１０と、これに接続された引掛具２０とからなる。歯磨き袋部１０は、ナイロン製で犬の歯磨きをする人間の指が挿入可能に袋状に構成されている。歯磨き袋部１０には、カルシウム１５〜２０（ｍｇ／Ｌ）、マグネシウム２．５〜３．０（ｍｇ／Ｌ）、カリウム２．９〜４．６（ｍｇ／Ｌ）、鉄＜０．１（ｍｇ／Ｌ）、ナトリウム１４〜２１（ｍｇ／Ｌ）、ケイ素２．３〜６．７（ｍｇ／Ｌ）、銅＜０．０２（ｍｇ／Ｌ）、亜鉛＜０．０１（ｍｇ／Ｌ）を主成分として含有してなるミネラル水がコーティングされていることから、後述する実験結果のように効果的に歯周病予防が図れる。
【００１２】
引掛部２０は、輪っか形に構成されたナイロン製のリボン状部材であり、歯磨き中に犬が歯磨き袋部１０を噛んで飲み込まないように親指や小指などに掛けて使用される他、使用していないときは、壁などに掛けるためのフックとして機能する。
【００１３】
具体的な使用状態について図２乃至図４を参照しながら説明すると、図２は、人差し指と中指を歯磨き袋部１０に挿入するとともに引掛部２０を親指に掛けた状態である。また、図３は、人差し指と中指を歯磨き袋部１０に挿入するとともに引掛部２０を小指に掛けた状態である。このように歯磨き袋部１０に２本の指を挿入して使用すれば複数本の歯を幅広く同時に磨くことができ効率がよい。一方、一本の歯だけを集中して磨きたい場合には、例えば、図４のように、歯磨き袋部１０の中には人差し指一本だけを挿入し、歯磨き袋部１０を縦に折りたたんで使用すればよい。
【００１４】
次に、本実施形態に係る動物用歯磨き具１０における歯周病及び口臭防止効果を実験により確かめたので以下に示す。
【００１５】
＜実験動物＞
実験には、実験用ビーグル犬６匹（雄性犬３匹、雌性犬３匹）を使用した。いずれの犬も重度の口臭（官能試験でスコア３）及び重度の歯周状態（歯石指数≧２、歯周炎スコア≧２）を有していた。すべての犬は、動物飼育室（室温２１±２℃、湿度５５±５℃、１２時間明暗周期）で飼育し、食餌（ＣＤ−５Ｍ、日本配合飼料株式会社）は、１日２回（６時〜１０時と１６時〜２０時の間に１０ｇ／ｋｇ／回を給餌）とし、新鮮な水道水を自由摂取とした。
【００１６】
＜実験プロトコール＞
実験動物である犬に８週間、毎日２分間（右側１分、左側１分とした）清潔な水道水で歯磨き袋部１０を湿らせた動物用歯磨き具１０で歯磨きをした。歯磨き袋部１０は、毎日使用後に清潔な水道水と洗浄し、室内で乾燥させたものを使用した。今回の実験では歯磨き袋部１０は犬ごとに専用として、２〜３週間ごとに新品に取り換え、２週間後、４週間後及び８週間後の口内空気中ＶＳＣ（揮発性硫黄化合物）を測定した。ＶＳＣ測定時に口内細菌数の測定も同時に行った。
【００１７】
＜口内揮発性硫黄化合物濃度の測定（オーラルクロマ）＞
本実験において、ポータブル・ガス・クロマトグラフィーであるオーラルクロマ（ＣＨＮ−２，  ＦＩＳ  Ｉｎｃ．，  Ｈｙｏｇｏ，  Ｊａｐａｎ）を用いて人の口臭原因物質として報告されている揮発性硫黄化合物（ＶＳＣ：Ｖｏｌａｔｉｌｅ  Ｓｕｌｆｕｒ  Ｃｏｍｐｏｕｎｄｓ）である硫化水素（Ｈ２Ｓ）、メチルメルカプタン（ＣＨ３ＳＨ）及び硫化ジメチル（（ＣＨ３）２Ｓ）の３成分を対象とし、犬の呼気サンプルを犬歯と臼歯との間隙に１ｍＬシリンジに装着したチューブを挿入し採取した。
【００１８】
＜口腔内細菌数の測定＞
白色滅菌綿棒で左上顎第４臼歯頬側を３回擦り、それを自動細菌数計算装置（ＤＵ−ＡＡ０１ＮＰ−Ｈ、パナソニックヘルスケア株式会社製）を用いて測定した。１匹につき２回測定し、平均値を求めた。
【００１９】
結果は、平均値±標準誤差で示した。統計学的解析を要するデータについては、Ｓｔｕｄｅｎｔ−ｔ検定を行った。ｐ＜０．０５の場合に統計学的な有意差があるとした。
【００２０】
＜結果＞
６匹の犬を毎日２分間、清潔な水道水で湿らせた歯磨き袋部１０により歯磨きをした。その結果、歯磨き袋部１０には１回の歯磨き後多量の歯垢が付着した。
【００２１】
＜口内ガス中ＶＳＣ濃度に対する効果＞
口内ガス中のＶＳＣとして人の口臭の主な原因物質と知られている硫化水素（Ｈ２Ｓ）、メチルメルカプタン（ＣＨ３ＳＨ）及び硫化ジメチル（（ＣＨ３）２Ｓ）を測定した。その結果を図５乃至図７に示す。なお、硫化ジメチルの表記として図７においては、ＣＨ３ＳＣＨ３を使用している。
【００２２】
Ｈ２Ｓは、歯磨き開始から２週間後にプレ値（０週）から約５０％の減少が見られ、２週間後以降も減少傾向は持続した。また、ＣＨ３ＳＨでは、２週間後にプレ値（０週）から約６０％の減少が見られ、２週間後以降も減少傾向が持続した。一方、（（ＣＨ３）２Ｓ）は明らかな変化が認められなかった。しかし、Σ（硫化水素＋メチルメルカプタン＋硫化ジメチル）は２週間後から減少傾向にあった（図８参照）。
【００２３】
＜口内細菌数に対する効果＞
口内細菌数の測定結果を図９に示す。歯磨きを始める前（０週）と比較すると２週間後では明らかな変化は見られなかったが、４週間後には減少し、この現象傾向は８週間後も持続した。
【００２４】
以上のように、本発明の動物用歯磨き具においては、歯周病及び口臭予防において、従来とは比較しえないような効果を有する。
【符号の説明】
【００２５】
１：動物用歯磨き具
１０：歯磨き袋部
２０：引掛部
【図１】
2020178776.tif 000003
【図２】
2020178776.tif 000004
【図３】
2020178776.tif 000005
【図４】
2020178776.tif 000006
【図５】
2020178776.tif 000007
【図６】
2020178776.tif 000008
【図７】
2020178776.tif 000009
【図８】
2020178776.tif 000010
【図９】
2020178776.tif 000011